(57)【要約】  メトキシポリエチレングリコールを含む低粘度機能性流体について記載する。該流体は特にＤＯＴ４ブレーキ液としての使用によく適しており、高いＥＲＢＰ、ＷＥＲＢＰ、低い動粘度および低いＳＢＲ体積増加％を提供する。【特許請求の範囲】
【請求項１】
（ｉ）機能性流体組成物の約３８重量％〜４７重量％の量のアルコキシグリコール混合物であって、次式
式１
【化３】
2013530292.tif 000010
を有し、その繰り返し単位が式
【化４】
2013530292.tif 000011
である（式中、Ｒ１、Ｒ２、Ｒ３、Ｒ４、Ｒ５の各々は、水素（Ｈ）であるか、１〜８個以上の炭素原子を含むアルキル基またはその混合物である）アルコキシグリコールを含み、前記混合物の約３６重量％〜約７３重量％の量のｎ＝３である第１のアルコキシグリコール成分、前記混合物の１７重量％〜約４３重量％のｎ＝４である第２のアルコキシグリコール成分、および前記混合物の約２重量％〜約１０重量％の量のｎが５以上である第３のアルコキシグリコール成分を有する、アルコキシグリコール混合物と、
（ｉｉ）機能性流体組成物の約５３重量％〜６２重量％の量のグリコールホウ酸エステルと
を含む機能性流体組成物。
【請求項２】
第１のアルコキシグリコール成分がメトキシトリエチレングリコールである、請求項１に記載の機能性流体組成物。
【請求項３】
第２のアルコキシグリコール成分がメトキシテトラエチレングリコールである、請求項２に記載の機能性流体組成物。
【請求項４】
第３のアルコキシグリコール成分がメトキシポリエチレングリコールである、請求項４に記載の機能性流体組成物。
【請求項５】
０を超え９％までのブトキシトリエチレングリコールをさらに含む、請求項４に記載の機能性流体組成物。
【請求項６】
０を超え３重量％までの１種または複数の腐食防止剤をさらに含む、請求項５に記載の機能性流体組成物。
【請求項７】
１種または複数の腐食防止剤が、ヘテロ環窒素含有化合物、アルカノールアミン等のアミン化合物、アルケニルコハク酸無水物、無機硝酸塩、無機ホウ酸塩およびケイ酸エステルから選択される、請求項１に記載の機能性流体組成物。
【請求項８】
０を超え１重量％までの１種または複数の抗酸化剤をさらに含む、請求項１に記載の機能性流体組成物。
【請求項９】
１種または複数の抗酸化剤が、フェノール化合物、キノリン化合物またはそれらの混合物である、請求項８に記載の機能性流体組成物。
【請求項１０】
消泡剤、ｐＨ安定剤、キレート化剤またはそれらの混合物をさらに含む、請求項１に記載の機能性流体組成物。
【請求項１１】
グリコールホウ酸エステルが、メトキシトリエチレングリコールホウ酸エステルである、請求項１に記載の機能性流体組成物。
【請求項１２】
グリコールホウ酸エステルが、高ホウ素含量のメトキシトリエチレングリコールホウ酸エステルである、請求項１１に記載の機能性流体組成物。
【請求項１３】
メトキシトリエチレングリコールホウ酸エステルのホウ素含量が約２％である、請求項１１に記載の機能性流体組成物。
【請求項１４】
メトキシジエチレングリコールをさらに含む、請求項１に記載の機能性流体組成物。
【請求項１５】
少なくとも約２３０℃の平衡還流沸点を有する、請求項１に記載の機能性流体組成物。
【請求項１６】
少なくとも約１５５℃の湿潤平衡還流沸点を有する、請求項１に記載の機能性流体組成物。
【請求項１７】
−４０℃において約１８００ｃＳＴ以下の動粘度を有する、請求項１に記載の機能性流体組成物。
【請求項１８】
１２０℃、７０時間の試験において約１０％以下のＳＢＲカップ体積増加を示す、請求項１に記載の機能性流体組成物。
【発明の詳細な説明】
【技術分野】
【０００１】
相互参照の宣言
本出願は、参照により本明細書に組み込まれる、２０１０年７月１日に出願した米国仮特許出願第６１／３６０，７１０号の利益を主張する。
【０００２】
本開示は、種々の応用、特にブレーキ液として有用な、低粘度機能性流体に関する。
【背景技術】
【０００３】
電子的または自動化アンチロックブレーキシステム、安定制御システムおよび再生ブレーキシステム等の新規に開発された装置によって、適切な物理的および性能特性を有する高性能油圧流体（たとえばブレーキ液）に対する需要が創出されてきた。特に、高い平衡還流沸点（ＥＲＢＰ）、高い湿潤ＥＲＢＰ（ＷＥＲＢＰ）および−４０Ｃにおける低い動粘度を有するとともに、エラストマー（スチレンブタジエンゴム（ＳＢＲ）カップ）との適合性が維持または改良された高性能ブレーキ液への強い需要がある。
【０００４】
米国特許第６，５５８，５６９Ｂ１号には、ホウ酸エステル、アルコキシグリコールおよび添加物を用いて作成されたブレーキ液が記載されている。米国特許第３，９２５，２２３号には、ホウ酸エステルを用いて改良された湿潤平衡沸点およびＦＭＶＳＳ  １１６による改良されたゴム膨潤を有する油圧流体が記載されている。
【発明の概要】
【発明が解決しようとする課題】
【０００５】
上記より、上述のような先行技術の欠点の１つまたは複数を解決し、高いＥＲＢＰ、高い湿潤ＷＥＲＢＰ）および−４０Ｃにおける低い動粘度、ならびに低いＳＢＲカップ体積膨潤に関して望ましい特性を示す流体組成物を提供する機能（たとえばブレーキ）流体が望ましい。
【課題を解決するための手段】
【０００６】
（ｉ）機能性流体組成物の約３８重量％〜４７重量％の量のアルコキシグリコール混合物であって、次式
【０００７】
式１
【化１】
2013530292.tif 000002
を有し、その繰り返し単位が式
【０００８】
【化２】
2013530292.tif 000003
である（式中、Ｒ１、Ｒ２、Ｒ３、Ｒ４、Ｒ５の各々は水素（Ｈ）であるか、１〜８個以上の炭素原子を含むアルキル基またはその混合物である）アルコキシグリコールを含み、前記混合物の約３６重量％〜約７３重量％の量のｎ＝３である第１のアルコキシグリコール成分、前記混合物の１７重量％〜約４３重量％のｎ＝４である第２のアルコキシグリコール成分、および前記アルコキシグリコール混合物の約２重量％〜約１０重量％の量のｎが５以上である第３のアルコキシグリコール成分を有する、アルコキシグリコール混合物と、
（ｉｉ）機能性流体組成物の約５３重量％〜６２重量％の量のグリコールホウ酸エステルと
を含む、機能性流体組成物を含む機能性流体組成物が提供される。
【０００９】
驚くべきことに、また予期しないことに、本発明者らは、特定の濃度の特定のアルコキシグリコールがＳＢＲ体積膨潤の要求を満たし、かつＥＲＢＰ、湿潤ＥＲＢＰおよび動粘度等の他の基準を達成するために重要であることを見出した。したがって、組成物中に所望のレベルの異なったアルコキシグリコールの混合物および特定のレベルのグリコールホウ酸エステルを有することによって、本発明の機能性流体組成物は高いＥＲＢＰ、高いＷＥＲＢＰ、−４０℃における低い動粘度を示すとともに、１２０℃、７０時間（ｈｒ）における体積膨潤％のＳＢＲ適合性基準を満足する。
【発明を実施するための形態】
【００１０】
アルコキシグリコール混合物は、好ましくはＲ２、Ｒ３、Ｒ４、およびＲ５が各々Ｈであるアルコキシグリコール成分を含む。即ち、アルコキシグリコール混合物は異なるアルコキシポリエチレングリコールを含む。
【００１１】
特定の実施形態においては、第１のアルコキシグリコールはメトキシトリエチレングリコール（ＭＴＧ）である。別の特定の実施形態においては、第２のアルコキシグリコールはメトキシテトラエチレングリコールである。第３の特定の実施形態においては、第３のアルコキシグリコールは「ｎ」が５以上であるメトキシポリエチレングリコールである。他の実施形態においては、上記の任意の組み合わせを個別に他と、または全部を共に組み合わせてもよい。たとえば、アルコキシグリコール混合物は上記メトキシ（トリ、テトラまたはポリ）エチレングリコールに対応する各々のアルコキシ成分である。
【００１２】
アルコキシグリコール混合物の量は機能性流体組成物の約３８重量％〜４７重量％である。好ましくは、アルコキシグリコール混合物の量は機能性流体組成物の約４０重量％〜４５重量％である。
【００１３】
別の実施形態においては、アルコキシグリコール混合物は９％までのブトキシトリエチレングリコール（ＢＴＧ）を含んでもよいが、ＢＴＧは必要ではなく、好ましくは機能性流体組成物中に存在しない。
【００１４】
機能性流体組成物は３重量％までの１種または複数の腐食防止剤、１重量％までの１種または複数の抗酸化剤、および適当な量の消泡剤、ｐＨ安定剤および／またはキレート化剤もさらに含んでよい。
【００１５】
アルコキシグリコール混合物に加えて、流体組成物は「ｎ」が２または１である少量のアルコキシグリコールを含んでもよい。一般に、これらのアルコキシグリコールの量は機能性流体組成物の約２重量％未満である。存在する場合には、これらも好ましくはメトキシジエチレンまたはメトキシエチレングリコールである。
【００１６】
本発明の組成物はまた、少量の１種または複数の他のグリコールをさらに含んでもよい。限定するものではないが、そのような有用な他のグリコールの例としては、メトキシトリグリコール、メトキシジグリコール、メトキシテトラグリコール、メトキシポリグリコール、エトキシトリグリコール、エトキシジグリコール、エトキシテトラグリコール、プロポキシトリグリコール、ブトキシトリグリコール（たとえばトリエチレングリコールモノブチルエーテル）、ブトキシジグリコール（たとえばジエチレングリコールモノブチルエーテル）、ブトキシテトラグリコール、ブトキシポリグリコール（たとえばブトキシトリグリコール、ブトキシテトラグリコール、およびＲ１が４個の炭素原子を有するアルキル基であり、ｎが５以上である他のグリコールの混合物）、ブトキシペントキシジグリコール、ペントキシトリグリコール、２−エチルヘキシルジグリコール、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、ジプロピレングリコールモノメチルエーテル、トリプロピレングリコールモノエチルエーテル、トリプロピレングリコールモノプロピルエーテル、トリプロピレングリコールモノブチルエーテル、ポリプロピレングリコールモノプロピルエーテル、ポリプロピレングリコールモノブチルエーテル、ポリブチレングリコールモノプロピルエーテル、ポリブチレングリコールモノブチルエーテルおよびそれらの任意の混合物が挙げられる。
【００１７】
本発明の機能性流体組成物は、グリコールホウ酸エステルを含む。グリコールホウ酸エステルの例としては、参照により本明細書に組み込まれる米国特許第６，５５８，５６９号に開示されたメトキシトリエチレングリコールホウ酸エステル、エトキシトリエチレングリコールホウ酸エステル、ブトキシトリエチレングリコールホウ酸エステル等のアルコキシグリコールホウ酸エステル成分およびそれらの混合物が挙げられる。本発明のある実施形態においては、基準処方のＭＴＧホウ酸エステルはＭ２４０ホウ酸エステルで置き換えられる。Ｍ２４０ホウ酸エステルは、高ホウ素含量（ホウ素約２％）のメトキシトリエチレングリコールホウ酸エステルである。
【００１８】
上述のように、組成物は少なくとも１種の脂肪酸、少なくとも１種のリン酸エステル、１種または複数の腐食防止剤、および下記のもの：消泡剤、ｐＨ安定剤、キレート化剤、および抗酸化剤の１種または複数を含む添加物パッケージを含んでもよい。添加物パッケージ中の腐食防止剤は、好ましくは、スズめっき鉄、鋼、アルミニウム、鋳鉄、黄銅および銅の腐食を防止する化合物であって、その各々がＳＡＥ  Ｊ１７０３、ＳＡＥ  Ｊ１７０４およびＦＭＶＳＳ１１６に規定された腐食規格を有する化合物を含む。しかし、特に好ましい実施形態においては、腐食防止剤はまた、亜鉛の腐食を防止する１種または複数の化合物を含む。
【００１９】
添加物パッケージは好ましくは流体組成物の少なくとも約０．１重量％、より好ましくは流体組成物の少なくとも約０．２重量％、最も好ましくは流体組成物の少なくとも約０．３重量％の量で存在する。添加物パッケージは好ましくは流体組成物の約１０重量％以下、より好ましくは流体組成物の約６．０重量％以下、最も好ましくは流体組成物の約４．０重量％以下の量で存在する。
【００２０】
添加物パッケージ中の脂肪酸は好ましくは、少なくとも２個、好ましくは少なくとも５個、より好ましくは少なくとも１０個、さらにより好ましくは少なくとも１５個の炭素原子を有する１種または複数の脂肪族カルボン酸を含む。脂肪族カルボン酸は一般に３５個以下、好ましくは３０個以下、より好ましくは２５個以下の炭素原子を有する。直鎖、単官能の脂肪酸が好ましく、直鎖、不飽和、単官能の脂肪酸がより好ましい。モノ不飽和脂肪酸が特に好ましい。限定するものではないが、適切な脂肪酸としてはオレイン酸、パルミチン酸、ステアリン酸、ミリスチン酸、パルミトレイン酸、エライジン酸、およびリノール酸が挙げられる。添加物パッケージ中の脂肪酸は一般に流体組成物の少なくとも約０．０１重量％、好ましくは少なくとも約０．０４重量％、より好ましくは少なくとも約０．０８重量％の量で存在する。脂肪酸は一般に流体組成物の約０．４重量％以下、より好ましくは約０．２重量％以下、最も好ましくは約０．１５重量％以下の量で存在する。
【００２１】
添加物パッケージ中の１種または複数の添加物は一般にホスフェート、特にリン酸エステルということになる。リン酸エステルは一般にアルコールとリン酸（Ｈ３ＰＯ４）とのモノ、ジ−またはトリエステルである。アルコールは好ましくは以下の式：
Ｒ１−Ｒ２−ＯＨ
（式中、Ｒ１は少なくとも２個、より好ましくは少なくとも３個、さらにより好ましくは少なくとも４個、さらにより好ましくは少なくとも６個の炭素原子を有する置換または非置換のアルキル、アルケニル、またはアリール基である）を有する。Ｒ１は好ましくは３０個以下、より好ましくは２８個以下、さらにより好ましくは２６個以下、さらにより好ましくは２４個以下の炭素原子を有する。Ｒ２は好ましくは２〜６個の炭素原子を有するアルキルまたはアルコキシ基である。１つの例示的な実施形態においては、Ｒ２はエトキシ基（−Ｏ−ＣＨ２−ＣＨ２−）である。限定するものではないが、適切なリン酸エステルとしては、ＲＨＯＤＯＦＡＣ（登録商標）ＲＭ−５１０（Ｒｈｏｄｉａ）（エトキシル化ジノニルフェノールリン酸エステル）、ＬＵＢＲＨＯＰＨＯＳ（登録商標）ＬＰ−７００（Ｒｈｏｄｉａ）（エトキシル化フェノールのリン酸エステル）、ＬＵＢＲＨＯＰＨＯＳ（登録商標）ＬＢ−４００（Ｒｈｏｄｉａ）（オレインアルコールのエトキシル化リン酸エステル）、ＬＵＢＲＨＯＰＨＯＳ（登録商標）ＬＫ−５００（Ｒｈｏｄｉａ）（エトキシル化ヘキサノールのリン酸エステル）、およびリン酸トリクレジル（クレゾールのリン酸トリエステル）が挙げられる。
【００２２】
リン酸エステルは好ましくは機能性流体の少なくとも約０．０５重量％、より好ましくは少なくとも約０．１重量％、さらにより好ましくは少なくとも約０．１５重量％の量で存在する。リン酸エステルは好ましくは機能性流体の約０．４重量％以下、より好ましくは約０．３重量％以下、さらにより好ましくは約０．２５重量％以下の量で存在する。いかなる理論にも縛られる意図はないが、また以下にさらに説明するように、機能性流体の添加物パッケージにおけるリン酸エステルと脂肪酸との組み合わせは機能性流体の潤滑性を予期しないほどに改善する相乗効果を奏すると考えられる。
【００２３】
腐食防止剤としては好ましくは少なくとも１種のヘテロ環窒素含有化合物、たとえばベンゾトリアゾール、トリトリアゾール、１，２，４−トリアゾール等のトリアゾールおよびそれらの混合物が挙げられる。トリアゾール化合物は、好ましくは全流体重量の少なくとも約０．０１重量％、より好ましくは少なくとも約０．０５重量％、最も好ましくは少なくとも約０．０９重量％の量で存在する。トリアゾール化合物は好ましくは全流体組成物の約０．４重量％以下、より好ましくは約０．３重量％以下、最も好ましくは約０．２０重量％以下の量で存在する。いかなる理論にも縛られる意図はないが、ベンゾトリアゾール、トリトリアゾール、１，２，４−トリアゾール等のトリアゾール化合物は、銅の腐食を防止するために特に効果的であると考えられる。
【００２４】
腐食防止剤としては好ましくはアルキルアミン（たとえばジｎ−ブチルアミンおよびジｎ−アミルアミン）、シクロヘキシルアミン、ピペラジン（たとえばヒドロキシエチルピペラジン）等の、トリアゾール以外のアミン化合物およびそれらの塩も挙げられる。本開示の機能性流体組成物における腐食防止剤として特に有用な非トリアゾールアミン化合物としては、アルカノールアミン、好ましくは各々のアルカノール基が１〜６個の炭素原子を含む１〜３個のアルカノール基を含むものが挙げられる。有用なアルカノールアミンの例としては、モノ−、ジ−およびトリメタノールアミン、モノ−、ジ−およびトリエタノールアミン、モノ−、ジ−およびトリプロパノールアミン、ならびにモノ−、ジ−およびトリイソプロパノールアミンが挙げられる。好ましいアルカノールアミンとしては、ブチルジエタノールアミンおよびジイソプロパノールアミン（「ｄｉｐａ」）が挙げられる。いかなる理論にも縛られる意図はないが、アルカノールアミンは鉄化合物（たとえば鉄、鋼）の腐食防止に効果的であり、緩衝剤としても作用すると考えられる。
【００２５】
非トリアゾールアミン化合物は好ましくは流体組成物の少なくとも約０．１重量％、より好ましくは少なくとも約０．５重量％、さらにより好ましくは少なくとも約０．８重量％の量で存在する。非トリアゾールアミン化合物は好ましくは全流体組成物の約３重量％以下、より好ましくは約２．０重量％以下、最も好ましくは約１．５重量％以下の量で存在する。
【００２６】
腐食防止剤は１種または複数のアルケニルコハク酸無水物を含んでもよい。好ましいアルケニルコハク酸無水物には無水マレイン酸の誘導体が含まれる。ドデセニルコハク酸無水物が特に好ましい。機能性流体に含まれる場合には、アルケニルコハク酸無水物は、好ましくは機能性流体組成物の少なくとも約０．１重量％、より好ましくは少なくとも約０．１２重量％、最も好ましくは少なくとも約０．１４重量％の量で存在する。アルケニルコハク酸無水物は好ましくは機能性流体組成物の約０．５重量％以下、より好ましくは約０．３重量％以下、最も好ましくは約０．２重量％以下の量で存在する。
【００２７】
ある実施形態においては、腐食防止剤はまた、１種または複数の無機硝酸塩、好ましくは硝酸ナトリウムまたは硝酸カリウムを含む。無機硝酸塩は、好ましくは流体組成物の少なくとも約０．０１重量％、より好ましくは少なくとも約０．０１５重量％、最も好ましくは少なくとも約０．０２重量％の量で存在する。無機硝酸塩は好ましくは流体組成物の約０．０６重量％以下、より好ましくは約０．０５重量％以下、最も好ましくは約０．０４重量％以下の量で存在する。いかなる理論にも縛られる意図はないが、無機硝酸塩はアルミニウムの腐食防止に効果的であると考えられる。
【００２８】
腐食防止剤は一般にＢｏｒａｘとして知られている四ホウ酸ナトリウム等の１種または複数の無機ホウ酸塩を含んでよい。無機ホウ酸塩は好ましくは固体水和物として提供される。特に好ましい無機ホウ酸塩は、Ｂｏｒａｘ  ５Ｍｏｌとしても知られている四ホウ酸ナトリウム五水和物Ｎａ２Ｂ４Ｏ７・５Ｈ２Ｏである。別の例示的な無機ホウ酸塩は四ホウ酸ナトリウム十水和物（Ｎａ２Ｂ４Ｏ７・１０Ｈ２Ｏ）である。存在する場合には、無機ホウ酸塩は、好ましくは流体組成物の少なくとも約０．０３重量％、より好ましくは少なくとも約０．０５重量％、最も好ましくは少なくとも約０．０７重量％の量で提供される。無機ホウ酸塩は、好ましくは流体組成物の約０．１重量％以下、より好ましくは約０．０９重量％を超え、最も好ましくは約０．０８重量％以下の量で提供される。いかなる理論にも縛られる意図はないが、無機ホウ酸塩は鉄の腐食防止（たとえば鉄および鋼）に効果的であると考えられる。
【００２９】
腐食防止剤は任意選択により、ケイ酸エステル等の１種または複数のシリコーン化合物を含んでもよい。好ましいケイ酸エステルとしては、限定するものではないがポリ（ジエトキシシロキサン）（たとえばＰＳＩ−０２１）等のジアルコキシシロキサンのポリマーが挙げられる。シリコーン腐食防止剤は、好ましくは流体組成物の少なくとも約０．００１重量％、より好ましくは少なくとも約０．００３重量％、最も好ましくは少なくとも約０．００４重量％の量で提供される。シリコーン腐食防止剤は、好ましくは流体組成物の約０．００８重量％以下、より好ましくは約０．００７重量％以下、最も好ましくは約０．００６重量％以下の量で提供される。いかなる理論にも縛られる意図はないが、シリコーン腐食防止剤は黄銅およびアルミニウムの腐食を防止すると考えられる。
【００３０】
上記の腐食防止剤に加えて、機能性流体の添加物パッケージは消泡剤、ｐＨ安定剤、キレート化剤、抗酸化剤等の、その他の添加化合物を含んでもよい。好ましい消泡剤としてはポリ（ジメチルシロキサン）およびＧＥ  Ａｄｖａｎｃｅｄ  Ｍａｔｅｒｉａｌｓ社の製品であるＳＡＧ１００Ａｎｔｉｆｏａｍ等のシリコーン系化合物が挙げられる。存在する場合には、消泡剤は好ましくは流体組成物の約０．０００２０重量％以下、より好ましくは約０．０００１５重量％以下の量で提供される。消泡剤は好ましくは流体組成物の少なくとも約０．００００１重量％、より好ましくは少なくとも約０．００００５重量％の量で存在する。
【００３１】
適切な抗酸化剤としてはフェノール化合物およびキノリン化合物が挙げられる。例示的なフェノール抗酸化剤としては、ＢＨＴ（ブチル化ヒドロキシトルエン）；２，６−ジ−ｔｅｒｔ−ブチル−４−メチルフェノール（商品名ＬＯＷＩＮＯＸ６２４としてＧｒｅａｔ  Ｌａｋｅｓ  Ｃｈｅｍｉｃａｌ  Ｃｏｒｐｏｒａｔｉｏｎ社から供給されている）、２，６−ジ−ｔｅｒｔ−ブチル−ｐ−クレゾール、２，６−ジ−ｔｅｒｔ−ブチル−４−ｓｅｃ−ブチルフェノール（商品名ＩＳＯＮＯＸ１３２としてＳｃｈｅｎｅｃｔａｄｙ  Ｉｎｔｅｒｎａｔｉｏｎａｌ  Ｉｎｃ．社、Ｓｃｈｅｎｅｃｔａｄｙ、ＮＹから供給されている）およびビスフェノールＡが挙げられる。例示的なキノリン抗酸化剤としては、Ｒ．Ｔ．Ｖａｎｄｅｒｂｉｌｔ社から供給されている重合トリメチルジヒドロキノリン化合物であるＡｇｅｒｉｔｅ（登録商標）ＲｅｓｉｎＤが挙げられる。抗酸化剤が添加物パッケージに含まれる場合には、抗酸化剤は好ましくは流体組成物の少なくとも約０．１重量％、より好ましくは少なくとも約０．２重量％、最も好ましくは少なくとも約０．２５重量％の量で提供される。抗酸化剤は好ましくは流体組成物の約１．０重量％以下、より好ましくは約０．８重量％以下、最も好ましくは約０．４重量％以下の量で提供される。
【００３２】
適切なキレート化剤としては、トリオクチルホスフィンオキサイド、リン酸トリブチル、ブチルリン酸ジブチ、ＤＥＨＰＡ（ジ（２−エチルヘキシル）リン酸）およびＤｕＰｏｎｔ  Ｍｅｔａｌ  Ｄｅａｃｔｉｖａｔｏｒ（Ｎ，Ｎ’−ジサリチリデン−１，２−プロパンジアメンおよびキシレン）等のプロパンジアミン／キシレン組成物が挙げられる。用いられる場合には、キレート化剤は好ましくは少なくとも約０．０１重量％、より好ましくは少なくとも約０．０５重量％、最も好ましくは少なくとも約０．０８重量％の量で存在する。キレート化剤は好ましくは流体組成物の約０．２重量％以下、最も好ましくは約０．１５重量％以下、最も好ましくは約０．１３重量％以下の量で存在する。
【００３３】
ある好ましい実施形態においては、流体組成物は約１５５℃以上の湿潤平衡還流沸点（ＷＥＲＢＰ）、約２３０℃以上の乾燥平衡還流沸点（ＥＲＢＰ）を維持する。機能性流体は好ましくは−４０℃において約１８００ｃＳｔ以下の動粘度を有する。
【００３４】
本開示において、本発明者らは予期しないことに、本開示の組成物を用いることによって高いＥＲＢＰ、高いＷＥＲＢＰおよび−４０℃における低い動粘度が達成できるとともに、低いＳＢＲカップ体積増加（１０％未満）を達成できることを見出した。
【００３５】
本明細書に記載した機能性流体は一般に、ＦＭＶＳＳ  １１６、ＳＡＥ  １７０４およびＩＳＯ  ４９２５に規定された基準に合格するＤＯＴ４ブレーキ液として用いることができる。
【実施例】
【００３６】
比較例
比較例の組成：
【００３７】
【表１】
2013530292.tif 000004
【００３８】
ＥＲＢＰ、ＷＥＲＢＰおよび−４０℃における粘度試験は、ＦＭＶＳＳ  １１６に従って行なう。体積増加％に関するＳＢＲ試験はＳＡＥ  Ｊ１７０４の規定により行なうが、１２０℃、７０時間の代わりに１２５℃、７２時間で行なった。
【００３９】
【表２】
2013530292.tif 000005
【実施例１】
【００４０】
実施例１の組成：
【００４１】
【表３】
2013530292.tif 000006
【００４２】
「メトキシポリグリコール」（「ＭＰＧ」）は、メトキシトリエチレングリコール（ＭＰＧの１０重量％）、メトキシテトラエチレングリコール（ＭＰＧの７８．４重量％）、およびエチレングリコール繰り返し単位を５個以上有するメトキシポリグリコール（ＭＰＧの１０．９重量％）の混合物を意味する。
【００４３】
ＥＲＢＰ、ＷＥＲＢＰおよび−４０℃における粘度試験は、ＦＭＶＳＳ  １１６に従って行なう。体積増加％に関するＳＢＲ試験はＳＡＥ  Ｊ１７０４の規定により行なうが、１２０℃、７０時間の代わりに１２５℃、７２時間で行なった。
【００４４】
【表４】
2013530292.tif 000007
【実施例２】
【００４５】
【表５】
2013530292.tif 000008
【００４６】
ＥＲＢＰ、ＷＥＲＢＰおよび−４０℃における粘度試験は、ＦＭＶＳＳ  １１６に従って行なう。体積増加％に関するＳＢＲ試験はＳＡＥ  Ｊ１７０４の規定により行なうが、１２０℃、７０時間の代わりに１２５℃、７２時間で行なった。
【００４７】
【表６】
2013530292.tif 000009
【００４８】
本開示の機能性流体は、これだけに限らないが、潤滑性、安定性、腐食、ｐＨ、流動性および外観、耐水性、適合性、抗酸化性、ゴムへの影響、および蒸発等の他の標準規格にも合格した。
【００４９】
本開示の機能性流体は、多くの機械系（たとえば油圧リフト、クレーン、フォークリフト、ブルドーザ、油圧ジャッキ、ブレーキ系、それらの組み合わせ、その他）に用いる油圧流体としての使用によく適している。これらの流体組成物は、その高い潤滑性ならびにＥＲＢＰ、ＷＥＲＢＰ、および低温粘度により、輸送車両（たとえば固定翼および回転翼航空機、列車、クラス１〜８の自動車、その他）におけるブレーキ系によく適している。これらのブレーキ系にはアンチロックブレーキ系（ＡＢＳ）、安定制御系、またはそれらの組み合わせが含まれる。
【００５０】
本明細書に提示した説明および例示は、開示、その原理、およびその実用的応用を当業者に紹介することを意図している。当業者は特定の用途における要求に最も良く適合するように本開示をその数多くの形態において適応および応用することができる。したがって、説明した本開示の特定の実施形態は包括的または限定的であることを意図したものではない。したがって本開示の範囲は上記の説明を参照して決定されるべきではなく、その代わりに、添付した特許請求の範囲およびその特許請求の範囲が授権されている全ての範囲の等価物を参照して決定されるべきである。特許出願および公開を含む全ての論文および参照文献の開示は、あらゆる点から参照によって組み込まれる。
【国際調査報告】
2013530292.tif 000012
2013530292.tif 000013
2013530292.tif 000014